【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
第１のアクセスポイント（ＡＰ）との第１の関連付けの間にモバイルデバイスで、動的ホスト構成プロトコル（ＤＨＣＰ）サーバによって割り当てられた第１のインターネットプロトコル（ＩＰ）アドレスを受信することと、
前記第１のＡＰから第２のＡＰへの前記モバイルデバイスのハンドオフに基づいて、前記第２のＡＰに前記モバイルデバイスから関連付け要求を送ること、ここにおいて、前記関連付け要求は、前記第１のＩＰアドレスを含む、と、
前記第２のＡＰとの第２の関連付けの間に前記モバイルデバイスで前記第１のＩＰアドレスを受信すること、前記第１のＩＰアドレスは、前記第２のＡＰによって前記モバイルデバイスに再割り当てされる、と
を備え、
前記ＴＴＬ期間の満了時に、前記第２のＡＰから第２のＩＰアドレスを要求すること
をさらに備える、方法。
【請求項２】
前記第１のＩＰアドレスの生存時間（ＴＬＬ）が有効であると決定することに応じて、前記第２のＡＰによって前記第１のＩＰアドレスの再割り当てを要求することをさらに備える、
請求項１に記載の方法。
【請求項３】
前記第２のＡＰから前記第２のＩＰアドレスを受信することをさらに備える、
請求項２に記載の方法。
【請求項４】
前記ハンドオフの前に前記第１のＩＰアドレスを使用する前記第１のＡＰを介して通信セッションを開始することと、
前記ハンドオフの後に前記第１のＩＰアドレスを使用する前記第２のＡＰを介して前記通信セッションを継続することと
をさらに備える、請求項１に記載の方法。
【請求項５】
前記モバイルデバイスは、前記第１のＩＰアドレスが、認証、認可、およびアカウンティング（ＡＡＡ）サーバから受信した第２のＩＰアドレスと一致すると前記第２のＡＰが決定した後、前記第２のＡＰによって前記第１のＩＰアドレスに再割り当てされる、
請求項１に記載の方法。
【請求項６】
前記モバイルデバイスは、セルラー接続を使用して前記第１のＡＰと通信する、
請求項１に記載の方法。
【請求項７】
前記モバイルデバイスは、米国電気電子技術者協会（ＩＥＥＥ）標準規格に準拠する接続を使用して前記第１のＡＰと通信する、
請求項１に記載の方法。
【請求項８】
前記モバイルデバイスは、米国電気電子技術者協会（ＩＥＥＥ）標準規格に準拠する接続を使用して前記第２のＡＰと通信する、
請求項１に記載の方法。
【請求項９】
前記第２のＡＰは、前記モバイルデバイスと前記第２のＡＰとの間のリンクセットアップの間に前記ＤＨＣＰサーバと通信せずに前記モバイルデバイスに前記第１のＩＰアドレスを再割り当てする、
請求項１に記載の方法。
【請求項１０】
前記第１のＩＰアドレスは、認証、認可、およびアカウンティング（ＡＡＡ）メッセージ、拡張認証プロトコル（ＥＡＰ）メッセージ、リモート認証ダイアルインユーザサービス（ＲＡＤＩＵＳ）メッセージ、またはそれらの組み合わせを介して通信される、
請求項１に記載の方法。
【請求項１１】
コンピュータ上で動くと、請求項１乃至１０のいずれか１項にしたがう方法を実行するための命令を備える、コンピュータプログラム。
【請求項１２】
第１のアクセスポイント（ＡＰ）との第１の関連付けの間にモバイルデバイスで、動的ホスト構成プロトコル（ＤＨＣＰ）サーバによって割り当てられた第１のインターネットプロトコル（ＩＰ）アドレスを受信するための手段と、
前記第１のＡＰから第２のＡＰへの前記モバイルデバイスのハンドオフに基づいて、前記第２のＡＰに前記モバイルデバイスから関連付け要求を送るための手段、ここにおいて、前記関連付け要求は、前記第１のＩＰアドレスを含む、と、
前記第２のＡＰとの第２の関連付けの間に前記モバイルデバイスで前記第１のＩＰアドレスを受信するための手段、前記第１のＩＰアドレスは、前記第２のＡＰによって前記モバイルデバイスに再割り当てされる、と
を備え、
前記ＴＴＬ期間の満了時に、前記第２のＡＰから第２のＩＰアドレスを要求するための手段
をさらに備える、装置。
【請求項１３】
前記第２のＡＰから前記第２のＩＰアドレスを受信するための手段をさらに備える、
請求項１２に記載の装置。
【請求項１４】
前記第１のＩＰアドレスは、認証、認可、およびアカウンティング（ＡＡＡ）メッセージ、拡張認証プロトコル（ＥＡＰ）メッセージ、リモート認証ダイアルインユーザサービス（ＲＡＤＩＵＳ）メッセージ、またはそれらの組み合わせを介して通信される、
請求項１２に記載の装置。
【請求項１５】
前記第２のＡＰは、前記第１のＩＰアドレスが認証、認可、およびアカウンティング（ＡＡＡ）サーバから受信された第２のＩＰアドレスと一致すると前記第２のＡＰが決定した後、前記第２のＰＡによって前記第１のＩＰアドレスに再割り当てされる、
請求項１２に記載の装置。
【手続補正２】
【補正対象書類名】明細書
【補正対象項目名】０２２１
【補正方法】変更
【補正の内容】
【０２２１】
[00235]開示された実施形態の前の説明は、当業者が開示された実施形態を作成しまたは使用することを可能にするために提供される。前述は、本開示の諸態様を対象とするが、本開示の他の態様が、本発明の基本範囲から逸脱することなく考案され得、その範囲は、以下の特許請求の範囲によって決定される。本開示または特許請求の範囲から逸脱することなく、本明細書で説明された実施形態の配列、動作、および詳細において、様々な改変、変更、および変形が行われ得る。したがって、本開示は、本明細書の実施形態に限定されるものではなく、以下の特許請求の範囲およびその均等物によって定義される原理および新規の特徴と一致することが可能な最も広い範囲が与えられるべきものである。
以下に、本願出願の当初の特許請求の範囲に記載された発明を付記する。
［Ｃ１］
第１のアクセスポイント（ＡＰ）との第１の関連付けの間にモバイルデバイスで、動的ホスト構成プロトコル（ＤＨＣＰ）サーバによって割り当てられた第１のインターネットプロトコル（ＩＰ）アドレスを受信することと、
前記第１のＡＰから第２のＡＰへの前記モバイルデバイスのハンドオフに基づいて、前記第２のＡＰに前記モバイルデバイスから関連付け要求を送ること、ここにおいて、前記関連付け要求は、前記第１のＩＰアドレスを含む、と、
前記第２のＡＰとの第２の関連付けの間に前記モバイルデバイスで前記第１のＩＰアドレスを受信することと
を備え、前記第１のＩＰアドレスは、前記第２のＡＰによって前記モバイルデバイスに再割り当てされる、
方法。
［Ｃ２］
前記第１のＩＰアドレスの生存時間（ＴＬＬ）が有効であると決定することに応じて、前記第２のＡＰによって前記第１のＩＰアドレスの再割り当てを要求することをさらに備える、
［Ｃ１］に記載の方法。
［Ｃ３］
前記ＴＴＬ期間の満了時に、前記第２のＡＰから第２のＩＰアドレスを要求することと、
前記第２のＡＰから前記第２のＩＰアドレスを受信することと
をさらに備える、［Ｃ２］に記載の方法。
［Ｃ４］
前記ハンドオフの前に前記第１のＩＰアドレスを使用する前記第１のＡＰを介して通信セッションを開始することと、
前記ハンドオフの後に前記第１のＩＰアドレスを使用する前記第２のＡＰを介して前記通信セッションを継続することと
をさらに備える、［Ｃ１］に記載の方法。
［Ｃ５］
前記モバイルデバイスは、前記第１のＩＰアドレスが認証、認可、およびアカウンティング（ＡＡＡ）サーバから受信した第２のＩＰアドレスと一致と前記第２のＡＰが決定した後、前記第２のＡＰによって前記第１のＩＰアドレスに再割り当てされる、
［Ｃ１］に記載の方法。
［Ｃ６］
前記モバイルデバイスは、セルラー接続を使用して前記第１のＡＰと通信する、
［Ｃ１］に記載の方法。
［Ｃ７］
前記モバイルデバイスは、米国電気電子技術者協会（ＩＥＥＥ）標準規格に準拠する接続を使用して前記第１のＡＰと通信する、
［Ｃ１］に記載の方法。
［Ｃ８］
前記モバイルデバイスは、米国電気電子技術者協会（ＩＥＥＥ）標準規格に準拠する接続を使用して前記第２のＡＰと通信する、
［Ｃ１］に記載の方法。
［Ｃ９］
前記第２のＡＰは、前記モバイルデバイスと前記第２のＡＰとの間のリンクセットアップの間に前記ＤＨＣＰサーバと通信せずに前記モバイルデバイスに前記第１のＩＰアドレスを再割り当てする、
［Ｃ１］に記載の方法。
［Ｃ１０］
前記第１のＩＰアドレスは、認証、認可、およびアカウンティング（ＡＡＡ）メッセージ、拡張認証プロトコル（ＥＡＰ）メッセージ、リモート認証ダイアルインユーザサービス（ＲＡＤＩＵＳ）メッセージ、またはそれらの組み合わせを介して通信される、
［Ｃ１］に記載の方法。
［Ｃ１１］
プロセッサと、
前記プロセッサに結合されるメモリと
を備え、前記メモリは、動作を実行する前記プロセッサによって実行可能な命令を記憶し、前記動作は、
第１のアクセスポイント（ＡＰ）との第１の関連付けの間にモバイルデバイスで、動的ホスト構成プロトコル（ＤＨＣＰ）サーバによって割り当てられた第１のインターネットプロトコル（ＩＰ）アドレスを受信することと、
前記第１のＡＰから第２のＡＰへの前記モバイルデバイスのハンドオフに基づいて、前記第２のＡＰに前記モバイルデバイスから関連付け要求を送ること、ここにおいて、前記関連付け要求は、前記第１のＩＰアドレスを含む、と、
前記第２のＡＰとの第２の関連付けの間に前記モバイルデバイスで前記第１のＩＰアドレスを受信することと
を備え、前記第１のＩＰアドレスは、前記第２のＡＰによって前記モバイルデバイスに再割り当てされる、
装置。
［Ｃ１２］
前記動作は、前記第１のＩＰアドレスの生存時間（ＴＬＬ）が有効であると決定することに応じて、前記第２のＡＰによって前記第１のＩＰアドレスの再割り当てを要求することをさらに備える、
［Ｃ１１］に記載の装置。
［Ｃ１３］
前記動作は、
前記ＴＴＬ期間の満了時に、前記第２のＡＰから第２のＩＰアドレスを要求することと、
前記第２のＡＰから前記第２のＩＰアドレスを受信することと
をさらに備える、［Ｃ１２］に記載の装置。
［Ｃ１４］
前記動作は、
前記ハンドオフの前に前記第１のＩＰアドレスを使用する前記第１のＡＰを介して通信セッションを開始することと、
前記ハンドオフの後に前記第１のＩＰアドレスを使用する前記第２のＡＰを介して前記通信セッションを継続することと
をさらに備える、［Ｃ１１］に記載の装置。
［Ｃ１５］
前記第２のＡＰは、
前記モバイルデバイスから前記第１のＩＰアドレスを含む前記関連付け要求を受信することと、
サーバから、前記第１のＡＰとの前記モバイルデバイスの関連付けの間に前記モバイルデバイスに割り当てられた第２のＩＰアドレスを受信することと、
前記第１のＩＰアドレスが前記第２のＩＰアドレスと一致するとの決定に応じて、前記モバイルデバイスに前記第１のＩＰアドレスを再割り当てすることと
を行うように構成される、［Ｃ１１］に記載の装置。
［Ｃ１６］
前記第２のＡＰは、前記第１のＩＰアドレスが前記第２のＩＰアドレスと一致しないとの決定に応じて、前記モバイルデバイスに第３のＩＰアドレスの割り当てを開始するために前記ＤＨＣＰサーバと通信することを行うようにさらに構成される、
［Ｃ１５］に記載の装置。
［Ｃ１７］
前記サーバは、認証、認可、およびアカウンティング（ＡＡＡ）サーバである、
［Ｃ１５］に記載の装置。
［Ｃ１８］
前記ＡＡＡサーバは、前記モバイルデバイスが前記第１のＡＰと関連付けられる間、前記第２のＩＰアドレスを受信することを行うように構成される、
［Ｃ１７］に記載の装置。
［Ｃ１９］
前記ＡＡＡサーバは、前記第１のＡＰから前記第２のＩＰアドレスを受信することを行うように構成される、
［Ｃ１８］に記載の装置。
［Ｃ２０］
前記ＡＡＡサーバは、前記ＤＨＣＰサーバから前記第２のＩＰアドレスを受信することを行うよう構成される、
［Ｃ１８］に記載の装置。
［Ｃ２１］
プロセッサによって実行されると、前記プロセッサに動作を実行させる命令を記憶するコンピュータ可読記憶デバイスであって、前記動作は、
第１のアクセスポイント（ＡＰ）との第１の関連付けの間にモバイルデバイスで、動的ホスト構成プロトコル（ＤＨＣＰ）サーバによって割り当てられた第１のインターネットプロトコル（ＩＰ）アドレスを受信することと、
前記第１のＡＰから第２のＡＰへの前記モバイルデバイスのハンドオフに基づいて、前記第２のＡＰに前記モバイルデバイスから関連付け要求を送ること、ここにおいて、前記関連付け要求は、前記第１のＩＰアドレスを含む、と、
前記第２のＡＰとの第２の関連付けの間に前記モバイルデバイスで前記第１のＩＰアドレスを受信することと
を備え、前記第１のＩＰアドレスは、前記第２のＡＰによって前記モバイルデバイスに再割り当てされる、
コンピュータ可読記憶デバイス。
［Ｃ２２］
前記動作は、前記第１のＩＰアドレスの生存時間（ＴＬＬ）が有効であると決定することに応じて、前記第２のＡＰによって前記第１のＩＰアドレスの再割り当てを要求することをさらに備える、
［Ｃ２１］に記載のコンピュータ可読記憶デバイス。
［Ｃ２３］
前記動作は、前記ＴＴＬ期間の満了時に、前記第２のＡＰから第２のＩＰアドレスを要求することと、前記第２のＡＰから前記第２のＩＰアドレスを受信することと
をさらに備える、［Ｃ２２］に記載のコンピュータ可読記憶デバイス。
［Ｃ２４］
前記動作は、
前記ハンドオフの動作の前に前記第１のＩＰアドレスを使用する前記第１のＡＰを介して通信セッションを開始することと、
前記ハンドオフの後に前記第１のＩＰアドレスを使用する前記第２のＡＰを介して前記通信セッションを継続することと
をさらに備える、［Ｃ２３］に記載のコンピュータ可読記憶デバイス。
［Ｃ２５］
前記モバイルデバイスは、前記第１のＩＰアドレスが認証、認可、およびアカウンティング（ＡＡＡ）サーバから受信された第２のＩＰアドレスと一致すると前記第２のＡＰが決定した後、前記第２のＰＡによって前記第１のＩＰアドレスに再割り当てされる、
［Ｃ２１］に記載のコンピュータ可読記憶デバイス。
［Ｃ２６］
前記モバイルデバイスは、セルラー接続を使用する前記第１のＡＰと通信する、
［Ｃ２１］に記載のコンピュータ可読記憶デバイス。
［Ｃ２７］
前記モバイルデバイスは、米国電気電子技術者協会（ＩＥＥＥ）標準規格に準拠する接続を使用して前記第１のＡＰまたは前記第２のＡＰのうちの少なくとも１つと通信する、
［Ｃ２１］に記載のコンピュータ可読記憶デバイス。
［Ｃ２８］
第１のアクセスポイント（ＡＰ）との第１の関連付けの間にモバイルデバイスで、動的ホスト構成プロトコル（ＤＨＣＰ）サーバによって割り当てられた第１のインターネットプロトコル（ＩＰ）アドレスを受信するための手段と、
前記第１のＡＰから第２のＡＰへの前記モバイルデバイスのハンドオフに基づいて、前記第２のＡＰに前記モバイルデバイスから関連付け要求を送るための手段、ここにおいて、前記関連付け要求は、前記第１のＩＰアドレスを含む、と、
前記第２のＡＰとの第２の関連付けの間に前記モバイルデバイスで前記第１のＩＰアドレスを受信するための手段と
を備え、前記第１のＩＰアドレスは、前記第２のＡＰによって前記モバイルデバイスに再割り当てされる、
装置。
［Ｃ２９］
前記第１のＩＰアドレスは、認証、認可、およびアカウンティング（ＡＡＡ）メッセージ、拡張認証プロトコル（ＥＡＰ）メッセージ、リモート認証ダイアルインユーザサービス（ＲＡＤＩＵＳ）メッセージ、またはそれらの組み合わせを介して通信される、
［Ｃ２８］に記載の装置。
［Ｃ３０］
前記第２のＡＰは、前記第１のＩＰアドレスが認証、認可、およびアカウンティング（ＡＡＡ）サーバから受信された第２のＩＰアドレスと一致すると前記第２のＡＰが決定した後、前記第２のＰＡによって前記第１のＩＰアドレスに再割り当てされる、
［Ｃ２８］に記載の装置。